(57)【特許請求の範囲】
【請求項１】
複数の補正対象出力装置の出力特性を目標出力装置の出力特性に合わせるカラーマッチング装置において、
前記複数の補正対象出力装置の中から基準出力装置を選択する選択手段と、
前記基準出力装置以外の前記補正対象出力装置の出力特性を前記基準出力装置の出力特性に合わせる機差補正手段と、
前記機差補正手段により前記基準出力装置の出力特性に合わせた補正対象出力装置の出力特性と、前記基準出力装置の出力特性と、をそれぞれ目標出力装置の出力特性に合わせる色変換手段と、
を有することを特徴とするカラーマッチング装置。
【請求項２】
請求項１に記載のカラーマッチング装置において、
前記選択手段は、前記複数の補正対象出力装置の中から最も色再現域の狭い出力装置を基準出力装置として選択することを特徴とするカラーマッチング装置。
【請求項３】
請求項１又は請求項２に記載のカラーマッチング装置において、
前記出力特性は、色再現特性であることを特徴とするカラーマッチング装置。
【請求項４】
請求項３に記載のカラーマッチング装置において、
各前記出力装置は、前記カラーマッチング装置に外部接続された印刷装置であって、
前記機差補正手段は、
前記基準出力装置により印刷された複数のパッチからなるチャートの前記各パッチを測定して取得された各前記パッチの基準色彩信号と、前記基準出力装置以外の前記補正対象出力装置により印刷された複数のパッチからなるチャートの前記各パッチを測定して取得された各前記パッチの色彩信号と、に基づいて、前記基準出力装置と前記基準出力装置以外の前記補正対象出力装置の機差補正ルックアップテーブルを作成する機差補正ルックアップテーブル作成手段と、
前記機差補正ルックアップテーブルに基づいて、前記基準出力装置以外の前記補正対象出力装置の色再現特性を前記基準出力装置の色再現特性に合わせる第１の変換手段と、
を有することを特徴とするカラーマッチング装置。
【請求項５】
請求項３又は請求項４に記載のカラーマッチング装置において、
前記色変換手段は、
前記目標出力装置により印刷された複数のパッチからなるチャートの前記各パッチを測定して取得された各前記パッチの目標色彩信号と、前記機差補正手段により前記基準出力装置の出力特性に合わせた補正対象出力装置又は前記基準出力装置により印刷された複数のパッチからなるチャートの前記各パッチを測定して取得された各前記パッチの基準色彩信号と、に基づいて、前記目標出力装置と、前記機差補正手段により前記基準出力装置の出力特性に合わせた補正対象出力装置又は前記基準出力装置の色変換ルックアップテーブルを作成する色変換ルックアップテーブル作成手段と、
前記色変換ルックアップテーブルに基づいて、前記機差補正手段により前記基準出力装置の出力特性に合わせた補正対象出力装置の色再現特性又は前記基準出力装置の色再現特性を目標出力装置の色再現特性に合わせる第２の変換手段と、
を有することを特徴とするカラーマッチング装置。
【請求項６】
請求項１乃至請求項５のいずれか一項に記載のカラーマッチング装置において、
前記色彩信号は、ＣＩＥＬａｂ空間における座標値、又はＣＩＥＸＹＺ空間における座標値であることを特徴とするカラーマッチング装置。
【請求項７】
複数の補正対象出力装置の出力特性を目標出力装置の出力特性に合わせるカラーマッチング方法において、
前記複数の補正対象出力装置の中から基準出力装置を選択する選択工程と、
前記基準出力装置以外の前記補正対象出力装置の出力特性を前記基準出力装置の出力特性に合わせる機差補正工程と、
前記機差補正工程により前記基準出力装置の出力特性に合わせた補正対象出力装置の出力特性と、前記基準出力装置の出力特性と、をそれぞれ目標出力装置の出力特性に合わせる色変換工程と、
を有することを特徴とするカラーマッチング方法。
【請求項８】
請求項７に記載のカラーマッチング方法において、
前記選択工程は、前記複数の補正対象出力装置の中から最も色再現域の狭い出力装置を基準出力装置として選択することを特徴とするカラーマッチング方法。
【請求項９】
請求項７又は請求項８に記載のカラーマッチング方法において、
前記出力特性は、色再現特性であることを特徴とするカラーマッチング方法。
【請求項１０】
請求項９に記載のカラーマッチング方法において、
各前記出力装置は、前記カラーマッチング方法に外部接続された印刷装置であって、
前記機差補正工程は、
前記基準出力装置により印刷された複数のパッチからなるチャートの前記各パッチを測定して取得された各前記パッチの基準色彩信号と、前記基準出力装置以外の前記補正対象出力装置により印刷された複数のパッチからなるチャートの前記各パッチを測定して取得された各前記パッチの色彩信号と、に基づいて、前記基準出力装置と前記基準出力装置以外の前記補正対象出力装置の機差補正ルックアップテーブルを作成する機差補正ルックアップテーブル作成工程と、
前記機差補正ルックアップテーブルに基づいて、前記基準出力装置以外の前記補正対象出力装置の色再現特性を前記基準出力装置の色再現特性に合わせる第１の変換工程と、
を有することを特徴とするカラーマッチング方法。
【請求項１１】
請求項９又は請求項１０に記載のカラーマッチング方法において、
前記色変換工程は、
前記目標出力装置により印刷された複数のパッチからなるチャートの前記各パッチを測定して取得された各前記パッチの目標色彩信号と、前記機差補正工程により前記基準出力装置の出力特性に合わせた補正対象出力装置又は前記基準出力装置により印刷された複数のパッチからなるチャートの前記各パッチを測定して取得された各前記パッチの基準色彩信号と、に基づいて、前記目標出力装置と、前記機差補正工程により前記基準出力装置の出力特性に合わせた補正対象出力装置又は前記基準出力装置の色変換ルックアップテーブルを作成する色変換ルックアップテーブル作成工程と、
前記色変換ルックアップテーブルに基づいて、前記機差補正工程により前記基準出力装置の出力特性に合わせた補正対象出力装置の色再現特性又は前記基準出力装置の色再現特性を目標出力装置の色再現特性に合わせる第２の変換工程と、
を有することを特徴とするカラーマッチング方法。
【請求項１２】
請求項７乃至請求項１１のいずれか一項に記載のカラーマッチング方法において、
前記色彩信号は、ＣＩＥＬａｂ空間における座標値、又はＣＩＥＸＹＺ空間における座標値であることを特徴とするカラーマッチング方法。
【発明の詳細な説明】
【技術分野】
【０００１】
本発明は、補正対象出力装置の出力特性を目標出力装置の出力特性に合わせるカラーマッチング装置等に関する。
【背景技術】
【０００２】
従来から、印刷業界では印刷の受注を受けた場合に、印刷物の色合いを確認するため、予め色校正プリンタで出力した色校正を顧客に見せてその了解をもらうことが行われている。しかし、色校正プリンタと印刷機との間で出力（印刷）結果の色合いが異なることが多く、例えば、共通の画像データを印刷機と色校正プリンタの双方に入力して出力(印刷)したとしても、印刷機で出力(印刷)したものと色校正プリンタで出力(印刷)したものとでは色合いが一致しないことが多い。そこで、色校正プリンタと印刷機との出力装置間で色特性を合わせるためのいわゆる「カラーマッチング」が行われている。
【特許文献１】特開２００３−２７４２０５号公報
【０００３】
その方法として、例えば、目標印刷装置（印刷機）により、目標印刷装置（印刷機）に依存した色（デバイスディペンデントカラー）と目標印刷装置（印刷機）に依存しない色（デバイスインディペンデントカラー）との色の対応表であるルックアップテーブル（ＬＵＴ）を作成し、これと同様に、目標印刷装置の色特性に合わせるべき補正対象印刷装置（色校正プリンタ）においても上記と同様のルックアップテーブルを作成し、機器固有の色特性を記述したＬＵＴを介して機器固有の色データとの変換を行なうことにより、出力装置間で色特性を合わせることが行われていた。
【０００４】
また、目標印刷装置の色特性に合わせるべき補正対象印刷装置が複数存在する場合は、印刷装置毎にＬＵＴを作成し、それぞれに上記カラーマッチング処理を行うことになるが、同じ目標印刷装置の色特性を目指しているにもかかわらず、複数の補正対象印刷装置間の色再現特性の差によって、各補正対象印刷装置間で、カラーマッチング結果に差が発生してしまうという問題があった。この問題を解消する方法としては、カラーマッチング処理の前に複数の補正対象印刷装置間の階調再現の差を無くすよう補正する方法が知られている。
【発明の開示】
【発明が解決しようとする課題】
【０００５】
しかしながら、上述した方法は同機種の出力装置間の差を補正する場合においては有効な手段であるが、色再現域やインク色相が異なる異機種印刷装置間の差を補正することは困難であることが問題となっていた。
【０００６】
本発明は、このような問題に鑑みなされたものであり、補正対象印刷装置の色再現特性を目標印刷装置の色再現特性に合わせて印刷することを可能とするカラーマッチング装置を提供することを目的とする。
【課題を解決するための手段】
【０００７】
上記課題を解決するための請求項１に記載の発明は、複数の補正対象出力装置の出力特性を目標出力装置の出力特性に合わせるカラーマッチング装置において、前記複数の補正対象出力装置の中から基準出力装置を選択する選択手段と、前記基準出力装置以外の前記補正対象出力装置の出力特性を前記基準出力装置の出力特性に合わせる機差補正手段と、
前記機差補正手段により前記基準出力装置の出力特性に合わせた補正対象出力装置の出力特性と、前記基準出力装置の出力特性と、をそれぞれ目標出力装置の出力特性に合わせる色変換手段と、を有することを特徴とする。
【０００８】
これによれば、補正対象出力装置の中から基準となる基準出力装置を選択し、基準出力装置以外の補正対象出力装置の出力特性を基準出力装置の出力特性に合わせることにより、異種出力装置間においての出力特性の差を解消することができ、更に機差補正後の補正対象出力装置の出力特性を目標出力装置の出力特性に合わせることにより、補正対象出力装置の出力特性と目標出力装置の出力特性の差を解消することができ、異種出力装置間においても目標出力装置の出力特性において出力することができる。
【０００９】
上記課題を解決するための請求項２に記載の発明は、請求項１に記載のカラーマッチング装置において、前記選択手段は、前記複数の補正対象出力装置の中から最も色再現域の狭い出力装置を基準出力装置として選択することを特徴とする。
【００１０】
これによれば、基準出力装置以外の補正対象出力装置を基準出力装置の出力特性に合わせる際に、最も色再現域の狭い出力装置を基準出力装置として選択することによって、基準出力装置以外の補正対象出力装置の出力特性を基準出力装置の出力特性に合わせる動作を無理なく容易に行うことができ、基準出力装置を含むすべての補正対象出力装置の出力装置を目標出力装置の出力特性に確実に合わせることができる。
【００１１】
上記課題を解決するための請求項３に記載の発明は、請求項１又は請求項２に記載のカラーマッチング装置において、前記出力特性は、色再現特性であることを特徴とする。
【００１２】
これによれば、出力特性の中でも特に色再現特性において異種印刷装置間における色再現特性の差を解消し、異種出力装置間においても目標出力装置の出力特性において出力することができる。
【００１３】
上記課題を解決するための請求項４に記載の発明は、請求項３に記載のカラーマッチング装置において、各前記出力装置は、前記カラーマッチング装置に外部接続された印刷装置であって、前記機差補正手段は、前記基準出力装置により印刷された複数のパッチからなるチャートの前記各パッチを測定して取得された各前記パッチの基準色彩信号と、前記基準出力装置以外の前記補正対象出力装置により印刷された複数のパッチからなるチャートの前記各パッチを測定して取得された各前記パッチの色彩信号と、に基づいて、前記基準出力装置と前記基準出力装置以外の前記補正対象出力装置の機差補正ルックアップテーブルを作成する機差補正ルックアップテーブル作成手段と、前記機差補正ルックアップテーブルに基づいて、前記基準出力装置以外の前記補正対象出力装置の色再現特性を前記基準出力装置の色再現特性に合わせる第１の変換手段と、を有することを特徴とする。
【００１４】
これによれば、機差補正ルックアップテーブル作成手段により機差補正ルックアップテーブルを作成し、当該機差補正ルックアップテーブルに基づいて第１の変換手段により補正対象出力装置の色再現特性を基準出力装置の色再現特性に合わせることができるため、異種出力装置間においての色再現特性の差を解消することができ、更に機差補正後の補正対象出力装置の色再現特性を目標出力装置の色再現特性に合わせることにより、補正対象出力装置の色再現特性と目標出力装置の色再現特性の差を解消することができ、異種出力装置間においても目標出力装置の色再現特性において印刷することができる。
【００１５】
上記課題を解決するための請求項５に記載の発明は、請求項３又は請求項４に記載のカラーマッチング装置において、前記色変換手段は、前記目標出力装置により印刷された複数のパッチからなるチャートの前記各パッチを測定して取得された各前記パッチの目標色彩信号と、前記機差補正手段により前記基準出力装置の出力特性に合わせた補正対象出力装置又は前記基準出力装置により印刷された複数のパッチからなるチャートの前記各パッチを測定して取得された各前記パッチの基準色彩信号と、に基づいて、前記目標出力装置と、前記機差補正手段により前記基準出力装置の出力特性に合わせた補正対象出力装置又は前記基準出力装置の色変換ルックアップテーブルを作成する色変換ルックアップテーブル作成手段と、前記色変換ルックアップテーブルに基づいて、前記機差補正手段により前記基準出力装置の出力特性に合わせた補正対象出力装置の色再現特性又は前記基準出力装置の色再現特性を目標出力装置の色再現特性に合わせる第２の変換手段と、を有することを特徴とする。
【００１６】
これによれば、色変換ルックアップテーブル作成手段により色変換ルックアップテーブルを作成し、当該色変換ルックアップテーブルに基づいて第２の変換手段により機差補正後の補正対象出力装置又は基準出力装置の色再現特性を目標出力装置の色再現特性に合わせることができるため、補正対象出力装置の色再現特性と目標出力装置の色再現特性の差を解消することができ、異種出力装置間においても目標出力装置の色再現特性において印刷することができる。
【００１７】
上記課題を解決するための請求項６に記載の発明は、請求項１乃至請求項５のいずれか一項に記載のカラーマッチング装置において、前記色彩信号は、ＣＩＥＬａｂ空間における座標値、又はＣＩＥＸＹＺ空間における座標値であることを特徴とする。
【００１８】
これによれば、色彩信号を構成する成分値を色彩信号Ｌａｂ、又はＣＩＥＸＹＺにより取得することによって、目標出力装置、補正対象出力装置により、それぞれ出力装置に依存した色と出力装置に依存しない色との色の対応表であるルックアップテーブル（ＬＵＴ）を作成し、機器固有の色特性を記述したＬＵＴを介して機器固有の色データとの変換を行なうことにより、異種出力装置間で色特性を合わせることが可能となる。
【００１９】
上記課題を解決するための請求項７に記載の発明は、複数の補正対象出力装置の出力特性を目標出力装置の出力特性に合わせるカラーマッチング方法において、前記複数の補正対象出力装置の中から基準出力装置を選択する選択工程と、前記基準出力装置以外の前記補正対象出力装置の出力特性を前記基準出力装置の出力特性に合わせる機差補正工程と、前記機差補正工程により前記基準出力装置の出力特性に合わせた補正対象出力装置の出力特性と、前記基準出力装置の出力特性と、をそれぞれ目標出力装置の出力特性に合わせる色変換工程と、を有することを特徴とする。
【００２０】
これによれば、補正対象出力装置の中から基準となる基準出力装置を選択し、基準出力装置以外の補正対象出力装置の出力特性を基準出力装置の出力特性に合わせることにより、異種出力装置間においての出力特性の差を解消することができ、更に機差補正後の補正対象出力装置の出力特性を目標出力装置の出力特性に合わせることにより、補正対象出力装置の出力特性と目標出力装置の出力特性の差を解消することができ、異種出力装置間においても目標出力装置の出力特性において出力することができる。
【００２１】
上記課題を解決するための請求項８に記載の発明は、請求項７に記載のカラーマッチング方法において、前記選択工程は、前記複数の補正対象出力装置の中から最も色再現域の狭い出力装置を基準出力装置として選択することを特徴とする。
【００２２】
これによれば、基準出力装置以外の補正対象出力装置を基準出力装置の出力特性に合わせる際に、最も色再現域の狭い出力装置を基準出力装置として選択することによって、基準出力装置以外の補正対象出力装置の出力特性を基準出力装置の出力特性に合わせる動作を無理なく容易に行うことができる。
【００２３】
上記課題を解決するための請求項９に記載の発明は、請求項７又は請求項８に記載のカラーマッチング方法において、前記出力特性は、色再現特性であることを特徴とする。
【００２４】
これによれば、出力特性の中でも特に色再現特性において異種印刷装置間における色再現特性の差を解消し、異種出力装置間においても目標出力装置の出力特性において出力することができる。
【００２５】
上記課題を解決するための請求項１０に記載の発明は、請求項９に記載のカラーマッチング方法において、各前記出力装置は、前記カラーマッチング方法に外部接続された印刷装置であって、前記機差補正工程は、前記基準出力装置により印刷された複数のパッチからなるチャートの前記各パッチを測定して取得された各前記パッチの基準色彩信号と、前記基準出力装置以外の前記補正対象出力装置により印刷された複数のパッチからなるチャートの前記各パッチを測定して取得された各前記パッチの色彩信号と、に基づいて、前記基準出力装置と前記基準出力装置以外の前記補正対象出力装置の機差補正ルックアップテーブルを作成する機差補正ルックアップテーブル作成工程と、前記機差補正ルックアップテーブルに基づいて、前記基準出力装置以外の前記補正対象出力装置の色再現特性を前記基準出力装置の色再現特性に合わせる第１の変換工程と、を有することを特徴とする。
【００２６】
これによれば、機差補正ルックアップテーブル作成手段により機差補正ルックアップテーブルを作成し、当該機差補正ルックアップテーブルに基づいて第１の変換手段により補正対象出力装置の色再現特性を基準出力装置の色再現特性に合わせることができるため、異種出力装置間においての色再現特性の差を解消することができ、更に機差補正後の補正対象出力装置の色再現特性を目標出力装置の色再現特性に合わせることにより、補正対象出力装置の色再現特性と目標出力装置の色再現特性の差を解消することができ、異種出力装置間においても目標出力装置の色再現特性において印刷することができる。
【００２７】
上記課題を解決するための請求項１１に記載の発明は、請求項９又は請求項１０に記載のカラーマッチング方法において、前記色変換工程は、前記目標出力装置により印刷された複数のパッチからなるチャートの前記各パッチを測定して取得された各前記パッチの目標色彩信号と、前記機差補正工程により前記基準出力装置の出力特性に合わせた補正対象出力装置又は前記基準出力装置により印刷された複数のパッチからなるチャートの前記各パッチを測定して取得された各前記パッチの基準色彩信号と、に基づいて、前記目標出力装置と、前記機差補正工程により前記基準出力装置の出力特性に合わせた補正対象出力装置又は前記基準出力装置の色変換ルックアップテーブルを作成する色変換ルックアップテーブル作成工程と、前記色変換ルックアップテーブルに基づいて、前記機差補正工程により前記基準出力装置の出力特性に合わせた補正対象出力装置の色再現特性又は前記基準出力装置の色再現特性を目標出力装置の色再現特性に合わせる第２の変換工程と、を有することを特徴とする。
【００２８】
これによれば、色変換ルックアップテーブル作成手段により色変換ルックアップテーブルを作成し、当該色変換ルックアップテーブルに基づいて第２の変換手段により機差補正後の補正対象出力装置又は基準出力装置の色再現特性を目標出力装置の色再現特性に合わせることができるため、補正対象出力装置の色再現特性と目標出力装置の色再現特性の差を解消することができ、異種出力装置間においても目標出力装置の色再現特性において印刷することができる。
【００２９】
上記課題を解決するための請求項１２に記載の発明は、  請求項７乃至請求項１１のいずれか一項に記載のカラーマッチング方法において、前記色彩信号は、ＣＩＥＬａｂ空間における座標値、又はＣＩＥＸＹＺ空間における座標値であることを特徴とする。
【００３０】
これによれば、色彩信号を構成する成分値を色彩信号Ｌａｂ、又はＣＩＥＸＹＺにより取得することによって、目標出力装置、補正対象出力装置により、それぞれ出力装置に依存した色と出力装置に依存しない色との色の対応表であるルックアップテーブル（ＬＵＴ）を作成し、機器固有の色特性を記述したＬＵＴを介して機器固有の色データとの変換を行なうことにより、異種出力装置間で色特性を合わせることが可能となる。
【発明の効果】
【００３１】
本発明によれば、補正対象出力装置の中から基準となる基準出力装置を選択し、基準出力装置以外の補正対象出力装置の出力特性を基準出力装置の出力特性に合わせることにより、異種出力装置間においての出力特性の差を解消することができ、更に機差補正後の補正対象出力装置の出力特性を目標出力装置の出力特性に合わせることにより、補正対象出力装置の出力特性と目標出力装置の出力特性の差を解消することができ、異種出力装置間においても目標出力装置の出力特性において出力することができる。
【発明を実施するための最良の形態】
【００３２】
以下、本発明の最良の実施形態について図面を用いて説明する。
【００３３】
本実施形態は、カラーマッチング装置によって複数の補正対象出力装置の出力特性を目標出力装置の出力特性に合わせる場合の一例を示す。なお、各出力装置は、後述するようにカラーマッチング装置に外部接続された印刷装置であって、出力特性は、色再現特性であるものとして以下説明する。
【００３４】
［カラーマッチング装置］
まず、本実施形態に係るカラーマッチング装置について、図１を用いて概念的に説明する。図１は、本発明のカラーマッチング装置と各印刷装置を示す概略図である。なお、本実施形態における補正対象印刷装置２は、それぞれ色再現域やインク色相が異なる異機種印刷装置とする。
【００３５】
図１に示すように、本実施形態におけるカラーマッチング装置１において、複数の補正対象印刷装置２の色再現特性を目標印刷装置５の色再現特性に合わせるべく、まず、複数の補正対象印刷装置２の中から基準印刷装置４を選択する。基準印刷装置４を選択した後に、基準印刷装置４以外の補正対象印刷装置（以下、単に「印刷装置」という）３の色再現特性を基準印刷装置４の色再現特性に合わせる機差補正を行い、機差補正によって基準印刷装置４の色再現特性に合わせた印刷装置３の色再現特性と、基準印刷装置４の色再現特性と、をそれぞれ目標印刷装置５の色再現特性に合わせる色変換を行う。これにより、印刷装置３又は基準出力装置４のいずれの補正対象印刷装置２において印刷しても、目標印刷装置５の色再現特性と同じ特性にて印刷が可能になる。
【００３６】
［カラーマッチング装置の構造及び機能］
次に、図２乃至図５を用いて、本実施形態にかかるカラーマッチング装置を構成する各部の構造及び機能について説明する。図２は、本発明のカラーマッチング装置の概要構成を示すブロック図である。
【００３７】
図２に示すように、カラーマッチング装置１は、記憶部１１、表示部１２、外部機器接続部１３、制御部１４とを備えて構成され、これらの各構成要素はバス１５を介して相互に接続されている。
【００３８】
記憶部１１は、各デバイス（補正対象印刷装置２、目標印刷装置５）のデバイス信号Ｄｄ（デバイス固有のＣＭＹＫ色空間における座標値）と、当該デバイス信号Ｄｄを再現可能な色彩信号Ｄｃ（デバイスに依存しない色空間における座標値）とを夫々対応付けてルックアップテーブルとして記憶している。本実施の形態においては、図３に示す如く、デバイスとしての補正対象印刷装置２、目標印刷装置５にて、それぞれカラーチャートを印刷（出力）し、そのカラーチャートを図示しない分光測色機器にて測定して、カラーチャートを構成するそれぞれのデバイス信号Ｄｄに対応する色彩信号Ｄｃを取得して基準印刷装置のルックアップテーブル（図３（Ａ）参照。）と、目標印刷装置５のルックアップテーブル（図３（Ｂ）参照。）と、をそれぞれ作成し記憶部１１に記憶する。
【００３９】
このカラーチャートは、ＩＳＯ（International Organization for Standardization：国際標準化機構）１２６４２で規格化されているＩＴ８．７／３などのＣＭＹＫで構成されるカラーチャートであって、これを外部機器接続部１３を介して各印刷装置にて出力（印刷）し、その各パッチを分光測定機器等にて測定して、各パッチのデータ信号に対応する色彩信号を取得して上記各ルックアップテーブルが作成される。
【００４０】
また、上記各ルックアップテーブルを作成するためのカラーチャートを示すカラーチャートデータを記憶する。
【００４１】
表示部１２は、例えば、補正対象印刷装置２のルックアップテーブル、目標印刷装置５のルックアップテーブル等が有する色彩信号Ｄｃのうち、使用者が図示しないマウス等で構成された操作入力部等を操作することにより、表示を所望する色彩信号を選択すると、選択された色彩信号に基づく色彩を表示するようになっている。また、制御部１４からの各種処理信号に基づいて、処理信号によって指示された表示を行なう。
【００４２】
外部機器接続部１３は、補正対象印刷装置２、目標印刷装置５等と接続するためのものである。
【００４３】
制御部１４は、図示しないＣＰＵ（Central Processing Unit）、作業用ＲＡＭ（Random Access Memory）、本発明のカラーマッチングプログラムを含む各種制御プログラムやデータ等を記憶するＲＯＭ（Read Only Memory）及び発振回路等を備えて構成されており、図示しない操作部からの操作信号に基づいて、当該操作信号に含まれている操作情報に対応する動作を実現すべく上記各構成部材を制御するための制御情報を作成し、バス１５を介して当該制御情報を該当する構成部材に出力して当該各構成部材の動作を統轄制御する。また、制御部１４は、ＲＯＭ等に記憶された各種制御プログラムを実行することにより、上記各部材と共に本発明の選択手段、機差補正手段、色変換手段、機差補正ルックアップテーブル作成手段、第１の変換手段、第２の変換手段、色変換ルックアップテーブル作成手段として機能するようになっている。
【００４４】
なお、制御部１４における具体的処理は次のルックアップテーブル作成処理の説明において詳細に述べる。
【００４５】
［ルックアップテーブル作成処理］
次に、図１乃至図６を用いてテーブル作成処理の具体的手法について説明する。図６は、ルックアップテーブル作成処理を示すフローチャートであり、当該フローチャートにより示される処理は、制御部１４内の図示しないＲＯＭ等に予め記憶されているカラーチャートプログラムに基づいて当該制御部１４の制御に基づいて実行されるものである。
【００４６】
まず、ルックアップテーブル（ＬＵＴ）作成が指示されることにより、ルックアップテーブル作成処理が開始される。処理が開始されると、複数の補正対象印刷装置２及び目標印刷装置５のルックアップテーブルを作成する（ステップＳ１１）。
【００４７】
具体的にはまず、図１に示す複数の補正対象印刷装置２のそれぞれの補正対象印刷装置２にて、記憶部１１に記憶したカラーチャートデータによりカラーチャートを印刷（出力）し、このカラーチャートを構成する各パッチを図示しない分光測色器等を用いて測色することにより、各パッチのＣ（シアン）、Ｍ（マゼンタ）、Ｙ（イエロー）、Ｋ（ブラック）の値（以下、「各パッチのデータ信号Ｄｄ」と言う。）に対応する基準色彩信号としての色彩信号Ｄｃ｛（Ｌ１*，ａ１*，ｂ１*）…（Ｌｍ*，ａｍ*，ｂｍ*）｝を各々の補正対象印刷装置２ごとに取得する（図３（Ａ）参照）。
【００４８】
次に、補正対象印刷装置２のルックアップテーブル作成と同様にして、目標印刷装置５にて、記憶部１１に記憶したカラーチャートデータによりカラーチャートデータを印刷し、このカラーチャートを構成する各パッチを図示しない分光測色器等を用いて測色することにより、各パッチのＣｚ、Ｍｚ、Ｙｚ、Ｋｚの値（以下、「各パッチのデータ信号Ｄｄ」と言う。）に対応する目標色彩信号としての色彩信号Ｄｃ｛（Ｌｚ１*，ａｚ１*，ｂｚ１*）…（Ｌｚｍ*，ａｚｍ*，ｂｚｍ*）｝を取得する（図３（Ｂ）参照）。
【００４９】
これにより、デバイスに依存する（デバイス固有のＣＭＹＫ空間における）座標値に対応するデバイスに依存しない色空間における座標値である色彩信号Ｄｃ（補正対象印刷装置及び目標印刷装置）を取得することができる。
【００５０】
次に、複数の補正対象出力装置２の中から基準印刷装置４を選択する（ステップＳ１２）。
【００５１】
ここで、基準印刷装置４は、基準印刷装置４以外の補正対象印刷装置（印刷装置）３を基準印刷装置４の色再現特性に合わせるための基準となるものであり、取得した色彩信号Ｄｃに基づいて、複数の補正対象印刷装置２の中から最も色再現域の狭い補正対象印刷装置を基準印刷装置４として選択する。
【００５２】
色再現域の狭い補正対象印刷装置を基準印刷装置４として選択する際の手法について詳細に説明すると、複数の異機種の補正対象印刷装置２は、それぞれ再現できる色再現域が異なる。しかしながら、色再現域の違いは、例えば、ある補正対象印刷装置２については、赤色を再現する色再現域は広いが、青色を再現する色再現域は狭く、一方、他のある補正対象印刷装置２については、青色を再現する色再現域は広いが、赤色を再現する色再現域は狭いなど、各機種によって特徴が異なり、すべての色（赤色、青色・・・）の色再現域を総合的に判断して最も色再現域が狭い補正対象印刷装置２を選び出すことは容易ではない。
【００５３】
従って、本実施形態においては、各補正対象印刷装置２毎に得られた色彩信号Ｄｃに基づいて当該各補正対象印刷装置２の色再現域を上記デバイスに依存しない色空間（例えば、国際照明委員会（ＣＩＥ）が定めた１９７６ＣＩＥＬａｂ空間）を用いて立体的に表現して、個々の補正対象印刷装置２で再現できる色空間の広さを比較することにより、最も色再現域の狭い補正対象印刷装置２（他の補正対象印刷装置２でも再現可能な色再現域をもつ補正対象印刷装置２）を基準印刷装置４として選択することになる。
【００５４】
次に、機差補正ルックアップテーブルを作成しようとする補正対象印刷装置２が上記選択した基準印刷装置４であるか否かを判断する（ステップＳ１３）。基準印刷装置４であれば、機差補正を行う必要はないからである。
【００５５】
次に、基準印刷装置４でない場合（ステップＳ１３：ＮＯ）には、機差補正ルックアップテーブル（ＬＵＴ）を作成する（ステップＳ１４）。
【００５６】
具体的には、ステップＳ１１で取得した各々の補正対象印刷装置２のルックアップテーブルが記憶部１１に記憶されているので、その中から印刷装置３と基準印刷装置４のルックアップテーブルをそれぞれ取得し、図４（Ａ）に示す基準印刷装置４のルックアップテーブルに示されている色彩信号Ｄｃ（基準出力装置）と、図４（Ｂ）に示す印刷装置３のルックアップテーブルに示されている色彩信号Ｄｃ（印刷装置）とを比較して、基準印刷装置４の色彩信号Ｄｃに対応する印刷装置３の色彩信号Ｄｃが存在する場合には、基準印刷装置４の色彩信号Ｄｃに対応するＣｘＭｘＹｘＫｘ値と、印刷装置３の色彩信号Ｄｃに対応するＣｙＭｙＹｙＫｙ値とを対応付ける。一方、基準印刷装置４の色彩信号Ｄｃに対応する印刷装置３の色彩信号Ｄｃが存在しない場合には、印刷装置３の色彩信号Ｄｃを補間演算して、基準印刷装置４に対応する色彩信号Ｄｃに対応するＣｘＭｘＹｘＫｘ値と、印刷装置３の色彩信号Ｄｃに対応するＣｙＭｙＹｙＫｙ値とを対応付ける。
【００５７】
なお、図４（Ａ）に示す基準印刷装置４のルックアップテーブルに示されている色彩信号Ｄｃ（基準出力装置）と、図４（Ｂ）に示す印刷装置３のルックアップテーブルに示されている色彩信号Ｄｃ（印刷装置）とを比較し最も近似する（言い換えれば、各色彩信号の色差ΔＥが最小となる）基準印刷装置４のＣｘＭｘＹｘＫｘ値と、印刷装置３のＣｙＭｙＹｙＫｙ値とを対応付けてもよい。
【００５８】
これらの対応付けを行なうことにより、図４（Ｃ）に示すような基準印刷装置４と印刷装置３との機差補正ルックアップテーブル（基準印刷装置４→印刷装置３）を作成することができる。なお、作成した機差補正ルックアップテーブルは記憶部１１に記憶する。
【００５９】
なお、各パッチのデータ信号は、Ｃ（シアン：0≦Ｃ≦２５５）、Ｍ（マゼンタ：0≦Ｍ≦２５５）、Ｙ（イエロー：0≦Ｙ≦２５５）、Ｋ（ブラック：0≦Ｋ≦２５５）の各色の組み合わせにより構成される。また、上記デバイスに依存しない色空間として、国際照明委員会（ＣＩＥ）が定めた１９７６ＣＩＥＬａｂ空間が用いられる。
【００６０】
なお、各パッチのデータ信号（Ｃ、Ｍ、Ｙ、Ｋ）は、上述したようにそれぞれ０から２５５までのいずれかの値を有するため、これらの全ての組み合わせを分光測色機器等にて測定することは困難かつ煩雑であるため、実際には、例えばＣ（シアン）、Ｍ（マゼンタ）、Ｙ（イエロー）、Ｋ（ブラック）の各色６ステップ（０、５１、１０２、１５３、２０４、２５５）、合計１２９６個のパッチに対応する（すなわち、これらパッチの色を再現可能な）色彩信号Ｄｃ（基準印刷装置或いは印刷装置）が取得される。この場合には、取得されている各パッチのデータ信号を補間演算して、所望の数のパッチのデータ信号と、当該パッチのデータ信号に対応する色彩信号Ｄｃ（基準印刷装置或いは印刷装置）を取得すればよい。パッチのデータ信号と色彩信号Ｄｃ（基準印刷装置）及び色彩信号Ｄｃ（印刷装置）の組み合わせの数が多いほど、図４（Ｃ）に示す機差補正ルックアップテーブル（基準印刷装置４→印刷装置３）の精度が向上する。
【００６１】
次に、色変換ルックアップテーブル（ＬＵＴ）を作成する（ステップＳ１５）。
【００６２】
具体的には、機差補正後の印刷装置３の色再現特性、すなわち、基準印刷装置４の色再現特性に合わせた後の印刷装置３の色再現特性を、今度は目標印刷装置５の色再現特性に合わせるべく、機差補正後の印刷装置３と、目標印刷装置５の色変換ルックアップテーブル（ＬＵＴ）を作成する。
【００６３】
印刷装置３は、色再現特性が基準印刷装置４に合うように機差補正が行われ、図４（Ｃ）に示す機差補正ルックアップテーブルにより、印刷装置３の各データ信号を基準印刷装置４の各データ信号として取得することができる。従って、印刷装置３の各データ信号に対応する色彩信号を、図４（Ａ）に示す基準印刷装置４の色彩信号Ｄｃとして取得することができる。
【００６４】
そして、印刷装置３の各データ信号を、基準印刷装置４の色彩信号Ｄｃと、図３（Ｂ）に示す目標印刷装置５のルックアップテーブルによる色彩信号Ｄｃと、を比較して、目的印刷装置５の色彩信号Ｄｃに対応する基準印刷装置４の色彩信号Ｄｃが存在する場合には、目標印刷装置５の色彩信号Ｄｃに対応するＣｚＭｚＹｚＫｚ値と、基準印刷装置４の色彩信号Ｄｃに対応するＣｘＭｘＹｘＫｘ値とを対応付ける。一方、目標印刷装置５の色彩信号Ｄｃに対応する基準印刷装置４の色彩信号Ｄｃが存在しない場合には、基準印刷装置４の色彩信号Ｄｃを補間演算して、目標印刷装置５に対応する色彩信号Ｄｃに対応するＣｚＭｚＹｚＫｚ値と、基準印刷装置４の色彩信号Ｄｃに対応するＣｘＭｘＹｘＫｘ値とを対応付ける。
【００６５】
この対応付けを行なうことにより、図５に示すような目標印刷装置５と補正対象印刷装置２としての印刷装置３の色変換ルックアップテーブル（目標印刷装置５→補正対象印刷装置２）を作成ことができる。なお、取得した色変換ルックアップテーブルは記憶部１１に記憶する。
【００６６】
一方、基準印刷装置４であるか否かが判断された結果、印刷装置３が基準印刷装置４である場合（ステップＳ１３：ＹＥＳ）には、機差補正は行われず、色変換が行われる（ステップＳ１５）。具体的には、上記に示した目標印刷装置５のルックアップテーブルの色彩信号Ｄｃ及び基準印刷装置４のルックアップテーブルの色彩信号Ｄｃとを比較して、目的印刷装置５の色彩信号Ｄｃに対応する基準印刷装置４の色彩信号Ｄｃが存在する場合には、目標印刷装置５の色彩信号Ｄｃに対応するＣｚＭｚＹｚＫｚ値と、基準印刷装置４の色彩信号Ｄｃに対応するＣｘＭｘＹｘＫｘ値とを対応付ける。一方、目標印刷装置５の色彩信号Ｄｃに対応する基準印刷装置４の色彩信号Ｄｃが存在しない場合には、基準印刷装置４の色彩信号Ｄｃを補間演算して、目標印刷装置５に対応する色彩信号Ｄｃに対応するＣｚＭｚＹｚＫｚ値と、基準印刷装置４の色彩信号Ｄｃに対応するＣｘＭｘＹｘＫｘ値とを対応付ける。
【００６７】
この対応付けを行なうことにより、図５に示すような目標印刷装置５と基準印刷装置４との色変換ルックアップテーブル（目標印刷装置５→基準印刷装置４）を作成ことができる。なお、取得した色変換ルックアップテーブルは記憶部１１に記憶する。
【００６８】
［カラーマッチング処理］
次に、図１乃至図７を用いてカラーマッチング処理について説明する。
【００６９】
図７は、カラーマッチング処理を示すフローチャートであり、当該フローチャートにより示される処理は、制御部１４内の図示しないＲＯＭ等に予め記憶されているカラーチャートプログラムに基づいて当該制御部１４の制御に基づいて実行されるものである。
【００７０】
まず、印刷装置３又は基準印刷装置４のいずれかにより印刷出力を行うべき印刷出力指示がなされることにより、カラーマッチング処置が開始される。処理が開始されることにより、印刷出力指示が基準印刷装置４に対してなされたものであるか否かが判断される（ステップＳ２１）。
【００７１】
次に、印刷出力指示が基準印刷装置４に対してなされたものでない場合（印刷装置３に対してなされたものである場合）（ステップＳ２１：ＮＯ）には、印刷装置３に対して色変換が行われる（ステップＳ２２）。
【００７２】
具体的に説明すると、記憶部１１に記憶した図５の色変換ルックアップテーブルに基づいて、印刷装置３の色再現特性を目標印刷装置５の色再現特性に合わせる。
【００７３】
次に、印刷装置３の色再現特性を基準印刷装置４に合わせる機差補正が行われる（ステップＳ２３）。
【００７４】
上記ステップＳ２２により、印刷装置３の色再現特性を基準印刷装置４の色再現特性とみなして目標印刷装置５に色再現特性を合わせたため、ステップＳ２３にて印刷装置３の色再現特性を基準出力装置４の色再現特性に合わせる。具体的には、印刷装置３の色再現特性を基準印刷装置４の色再現特性に合わせるために、記憶部１１に記憶した図４（Ｃ）の機差補正ルックアップテーブル（ＬＵＴ）に基づいて、印刷装置３の色再現特性を基準印刷装置４の色再現特性に合わせる機差補正を行う。
【００７５】
次に、印刷出力が行われる（ステップＳ２４）。
【００７６】
上記工程により、印刷装置３の色再現特性を目標印刷装置５の色再現特性に合わせたことにより、印刷装置３によっても、目標印刷装置５により印刷されたものと同様の印刷物が得られることになる。
【００７７】
一方、ステップＳ２１において、基準出力装置４であるか否かが判断された結果、印刷出力指示が基準印刷装置４に対してなされたものである場合（ステップＳ２１：ＹＥＳ）には、色変換が行われる（ステップＳ２５）。
【００７８】
上記と同様に記憶部１１に記憶した図５の色変換ルックアップテーブル（ＬＵＴ）に基づいて、基準印刷装置４の色再現特性を目標印刷装置５の色再現特性に合わせる。
【００７９】
次に、印刷出力が行われる（ステップＳ２４）。
【００８０】
上記工程により、基準印刷装置４の色再現特性を目標印刷装置５の色再現特性に合わせたことにより、基準印刷装置４によっても、目標印刷装置５により印刷されたものと同様の印刷物が得られることになる。
【００８１】
なお、補正対象印刷装置２において印刷する際に目標印刷装置５の色再現特性と同じ特性にて印刷する場合について説明したが、印刷に限定されるものではなく、複数のモニタの色再現特性を目標とするモニタの色再現特性に合わせる場合についてもカラーマッチング装置を用いることもできる。
【００８２】
変形形態１
図８、９を用いて、ルックアップテーブル作成処理及びカラーマッチング処理についての変形形態を示す。なお、上述した実施の形態と異なる部分のみを説明する。
【００８３】
図８は、ルックアップテーブル作成処理を示すフローチャートである。上述したように図６に示すルックアップテーブル作成処理におけるステップＳ１３、Ｓ１５においては、基準印刷装置であるか否かの判断（ステップＳ１３）がなされた結果、基準印刷装置４である場合（ステップＳ１３：ＹＥＳ）、基準印刷装置４でない場合（ステップＳ１３：ＮＯ）のどちらの場合であっても、色変換ルックアップテーブル作成(ステップＳ１５)がなされるが、ここでは、基準印刷装置４でない場合（ステップＳ３３：ＮＯ）には、色変換ルックアップテーブルは作成されないものとする。その場合には、基準印刷装置４であった場合において（ステップＳ３３：ＹＥＳ）作成された色変換ルックアップテーブルを用いて、基準印刷装置４でない場合について色変換を行うこととする。具体的には、図９に示すように、印刷装置３又は基準印刷装置４のいずれかにより印刷出力を行うべき印刷出力指示がなされることにより、カラーマッチング処理が開始され、印刷出力指示が基準印刷装置４又は印刷装置３のどちらに対するものであっても、ステップＳ４１において基準印刷装置４であった場合（ステップＳ３３：ＹＥＳ）に作成された色変換ルックアップテーブルが用いられ、色変換が行われる（ステップＳ４１）。その後基準印刷装置４でない場合（ステップＳ４２：ＮＯ）にあっては、機差補正が行われ（ステップＳ４３）、印刷出力がなされることになる（ステップＳ４４）。
【００８４】
こうすることにより、印刷出力指示が基準印刷装置４でない場合には、機差補正ルックアップテーブルを作成した後に色変換ルックアップテーブルの作成を省略することが可能となり、より簡易にカラーマッチング処理を行うことができる。
【００８５】
変形形態２
図１０に示すように、印刷出力指示が基準印刷装置４に対してなされていない場合には、色変換処理と機差補正処理を結合することも可能である（ステップＳ５２）。この方法は、上述した場合と同様に、印刷装置３、基準印刷装置４、目標印刷装置５のルックアップテーブルを作成して、目標印刷装置のルックアップテーブル→基準印刷装置のルックアップテーブル→印刷装置のルックアップテーブルの色変換処理の順で、ルックアップテーブルを結合させ、ルックアップテーブル（目標印刷装置５→印刷装置３）を作成する。このルックアップテーブル（デバイスリンクプロファイル）を使用し、色変換処理を行うことで、印刷装置３又は基準印刷装置４のいずれにおいても目標印刷装置５により印刷されたものと同様の印刷物が簡易に得られることになる。
【図面の簡単な説明】
【００８６】
【図１】本発明のカラーマッチング装置と各印刷装置を示す概略図である。
【図２】本発明のカラーマッチング装置の概略構成を示すブロック図である。
【図３】（Ａ）は、補正対象印刷装置のルックアップテーブルであり、（Ｂ）は、目標印刷装置のルックアップテーブルである。
【図４】（Ａ）は、基準印刷装置のルックアップテーブルであり、（Ｂ）は、印刷装置のルックアップテーブルであり、（Ｃ）は、補正対象ルックアップテーブルである。
【図５】色変換ルックアップテーブルである。
【図６】ルックアップテーブル作成処理を示すフローチャートである。
【図７】カラーマッチング処理を示すフローチャートである。
【図８】ルックアップテーブル作成処理を示すフローチャートである。
【図９】カラーマッチング処理を示すフローチャートである。
【図１０】カラーマッチング処理を示すフローチャートである。
【符号の説明】
【００８７】
１・・・カラーマッチング装置
２・・・補正対象印刷装置
３・・・印刷装置
４・・・基準印刷装置
５・・・目標印刷装置
１１・・・記憶部
１２・・・表示部
１３・・・外部機器接続部
１４・・・制御部
１５・・・バス
【図１】
0004427011.tif 000002
【図２】
0004427011.tif 000003
【図３】
0004427011.tif 000004
【図４】
0004427011.tif 000005
【図５】
0004427011.tif 000006
【図６】
0004427011.tif 000007
【図７】
0004427011.tif 000008
【図８】
0004427011.tif 000009
【図９】
0004427011.tif 000010
【図１０】
0004427011.tif 000011